(57)【要約】【課題】反射型表示装置が設置された場所の外光条件に合わせて駆動パラメータを自動的に補正し得る大型表示装置システムを得る。【解決手段】画像入力・処理部７は、撮像装置３によって撮像された画像Ｄ４を反射型大型表示装置２Ａ内に取り込み、取り込んだ画像Ｄ４を処理することにより、画像データＤ１にマッチングされた画像データＤ５を生成する。パラメータ補正部８Ａは、画像入力・処理部７によって生成された画像データＤ５と、画像データＤ５の元となった画像に関する画像データＤ１とを比較し、その比較の結果に基づいて、Ｒ，Ｇ，Ｂの各色毎に駆動パラメータＤ２を補正するための補正量に関するデータＤ７を生成する。パラメータ保持部９Ａは、パラメータ補正部８Ａから入力されたデータＤ７に基づいて、Ｒ，Ｇ，Ｂの各色毎に駆動パラメータＤ２を補正し、補正後の駆動パラメータＤ２を保持する。【選択図】図１
2006146098.tif 000002
【特許請求の範囲】
【請求項１】
反射型表示装置と、
前記反射型表示装置の表示画面に表示された画像の撮像を行う撮像装置と
を備え、
前記反射型表示装置は、
前記表示画面と、
前記表示画面に表示すべき画像に関する第１の画像データを蓄積する画像データ蓄積部と、
前記画像データ蓄積部に蓄積された前記第１の画像データと、画像データの階調レベルを駆動条件に変換するためのパラメータとに基づいて、前記表示画面に画像を表示する画像表示部と、
前記撮像装置によって撮像された画像を入力し、当該画像を処理することにより、前記第１の画像データに対応した第２の画像データを生成する画像処理部と、
前記画像処理部によって生成された前記第２の画像データと、前記第２の画像データの元となった画像に関する前記第１の画像データとの比較の結果に基づいて、前記パラメータを補正するパラメータ補正部と
を有する、表示装置システム。
【請求項２】
前記撮像装置による前記撮像は、異なるタイミングで複数回行われ、
前記パラメータ補正部は、複数回の前記撮像に対応して前記比較を複数回行い、複数回の前記比較の結果の差が所定の基準値以下の場合に前記パラメータを補正する、請求項１に記載の表示装置システム。
【請求項３】
前記表示画面は複数の領域に分割されており、
前記パラメータ補正部は、前記複数の領域の各々ごとに前記パラメータの補正量を個別に設定する、請求項１又は２に記載の表示装置システム。
【請求項４】
前記表示装置システムの不具合を監視する監視装置をさらに備え、
前記反射型表示装置は、前記画像処理部によって生成された前記第２の画像データと、予め設定されたデータパターンとを比較する比較部をさらに有し、
前記比較部は、前記第２の画像データと前記データパターンとが一致した場合、前記監視装置に不具合の発生を通達する、請求項１〜３のいずれか一つに記載の表示装置システム。
【請求項５】
前記反射型表示装置は、前記パラメータ補正部による前記比較の結果を記憶する記憶部をさらに有する、請求項１〜４のいずれか一つに記載の表示装置システム。
【発明の詳細な説明】
【技術分野】
【０００１】
本発明は、外光を利用して画像の表示を行う反射型表示装置を備える表示装置システムに関する。
【背景技術】
【０００２】
反射型表示装置においては、表示すべき画像に関する画像データが蓄積され、蓄積された画像データと、画像データの階調レベルを駆動条件に変換するための駆動パラメータとに基づいて、表示画面に画像が表示される。従来の反射型表示装置においては、表示装置の製造段階において、標準光源の下に表示画面を設置した状況で、駆動パラメータが決定される。
【０００３】
なお、表示装置ではなくスキャナやプリンタに関する技術ではあるが、印刷すべき画像と実際に印刷された画像との間に色味の不一致が生じた場合に、ユーザに対して警告を報知する技術が、例えば下記特許文献１に開示されている。
【０００４】
【特許文献１】特開２００３−２８３７３２号公報
【発明の開示】
【発明が解決しようとする課題】
【０００５】
しかしながら、従来の反射型表示装置によると、駆動パラメータを決定する際に使用した標準光源とは外光条件が異なる環境下（例えば屋外）に反射型表示装置が設置された場合に、表示すべき画像と実際に画面に表示された画像とで色合いが異なるという問題があった。
【０００６】
本発明はかかる問題を解決するために成されたものであり、反射型表示装置が設置された場所の外光条件に合わせて駆動パラメータを自動的に補正し得る表示装置システムを得ることを目的とする。
【課題を解決するための手段】
【０００７】
本発明に係る表示装置システムは、反射型表示装置と、前記反射型表示装置の表示画面に表示された画像の撮像を行う撮像装置とを備え、前記反射型表示装置は、前記表示画面と、前記表示画面に表示すべき画像に関する第１の画像データを蓄積する画像データ蓄積部と、前記画像データ蓄積部に蓄積された前記第１の画像データと、画像データの階調レベルを駆動条件に変換するためのパラメータとに基づいて、前記表示画面に画像を表示する画像表示部と、前記撮像装置によって撮像された画像を入力し、当該画像を処理することにより、前記第１の画像データに対応した第２の画像データを生成する画像処理部と、前記画像処理部によって生成された前記第２の画像データと、前記第２の画像データの元となった画像に関する前記第１の画像データとの比較の結果に基づいて、前記パラメータを補正するパラメータ補正部とを有する。
【発明の効果】
【０００８】
本発明に係る表示装置システムによれば、反射型表示装置が設置された場所の外光条件に合わせて、パラメータを自動的に補正することができる。
【発明を実施するための最良の形態】
【０００９】
実施の形態１．
図１は、本発明の実施の形態１に係る大型表示装置システム（「大型」に限定する趣旨ではないが、本発明は特に大型の表示装置を備えるシステムに適している）１Ａの構成を示すブロック図である。大型表示装置システム１Ａは、反射型大型表示装置２Ａと、反射型大型表示装置２Ａが有する表示画面４に表示されている画像を撮像するための撮像装置３とを備えている。
【００１０】
反射型大型表示装置２Ａは、画像データ蓄積部５と、パラメータ保持部９Ａと、画像データ蓄積部５及びパラメータ保持部９Ａの各出力に接続された画像表示部６と、画像表示部６の出力に接続された表示画面４と、撮像装置３の出力に接続された画像入力・処理部７と、画像入力・処理部７及び画像データ蓄積部５の各出力に接続されたパラメータ補正部８Ａとを有している。パラメータ保持部９Ａは、パラメータ補正部８Ａに入出力相互に接続されている。
【００１１】
表示画面４は、複数の画素がマトリクス状に配列された構成を有している。各画素は、Ｒ（赤），Ｇ（緑），Ｂ（青）の各色のセルによって形成されている。
【００１２】
画像データ蓄積部５には、表示画面４に表示すべき画像に関する画像データＤ１が蓄積されている。パラメータ保持部９Ａには、反射型大型表示装置２Ａの製造段階において標準光源の下に表示画面４を設置した状況で決定された、Ｒ，Ｇ，Ｂの各色毎の駆動パラメータＤ２が格納されている。駆動パラメータＤ２は、画像データの階調レベルを駆動条件（表示画面４内の図示しない電極に印加される駆動パルスの電圧値又はパルス幅）に変換するためのパラメータである。
【００１３】
画像表示部６は、画像データ蓄積部５から入力された画像データＤ１と、パラメータ保持部９Ａから入力された駆動パラメータＤ２とに基づいて、階調レベルが駆動条件に変換された画像データＤ３を生成し、生成した画像データＤ３に基づいて表示画面４に画像を表示する。
【００１４】
撮像装置３は、ディジタルカメラやディジタルビデオカメラ等の光学式入力装置であり、表示画面４の全面を撮影でき、かつ、表示画面４への光の入射を妨げない箇所に、固定して設置されている。また、撮像装置３は、表示画面４の全面を撮影した際に、表示画面４の画素ピッチ以上の解像度を有している。
【００１５】
画像入力・処理部７は、有線又は無線によって撮像装置３に接続されている。画像入力・処理部７は、撮像装置３によって撮像された画像Ｄ４を反射型大型表示装置２Ａ内に取り込み、取り込んだ画像Ｄ４を処理することにより、画像データＤ１にマッチングされた画像データＤ５を生成する。
【００１６】
パラメータ補正部８Ａは、画像入力・処理部７によって生成された画像データＤ５と、画像データＤ５の元となった画像（以下「元画像」とも称す）に関する画像データＤ１とを比較し、その比較の結果に基づいて、Ｒ，Ｇ，Ｂの各色毎に駆動パラメータＤ２を補正するための補正量に関するデータＤ７を生成する。
【００１７】
パラメータ保持部９Ａは、パラメータ補正部８Ａから入力されたデータＤ７に基づいて、Ｒ，Ｇ，Ｂの各色毎に駆動パラメータＤ２を補正し、補正後の駆動パラメータＤ２を保持する。
【００１８】
図２は、図１に示したパラメータ補正部８Ａの構成を示すブロック図である。パラメータ補正部８Ａは、演算部５０と、演算部５０の出力に接続された補正量決定部５１とを備えている。演算部５０は、図１に示した画像データ蓄積部５及び画像入力・処理部７の各出力に接続されている。補正量決定部５１は、図１に示したパラメータ保持部９Ａに入出力相互に接続されている。
【００１９】
図３は、図１に示した表示画面４の構成例を示す平面図である。表示画面４は、液晶表示デバイス等の複数の表示デバイス２０（２０1，２０2，・・・，２０n）の各表示面が、格子状のパネル目地２１を挟んでマトリクス状に配置された構成を有している。なお、パネル目地２１の部分には画像は表示されない。
【００２０】
図４は、本実施の形態１に係る大型表示装置システム１Ａにおける、外光条件に応じた駆動パラメータＤ２の補正処理の流れを示すフローチャートである。以下、図１〜４を参照して、駆動パラメータＤ２の補正処理について説明する。
【００２１】
画像表示部６は、画像データＤ１と補正前の駆動パラメータＤ２とに基づいて画像データＤ３を生成し、生成した画像データＤ３に基づいて表示画面４に画像を表示する。画像データ蓄積部５は、画像表示部６に画像データＤ１を送出した後も、引き続き画像データＤ１を保持する。
【００２２】
ステップＳＰ１０１において、撮像装置３は、表示画面４に表示されている画像を撮像する。
【００２３】
次にステップＳＰ１０２において、画像入力・処理部７は、撮像装置３によって撮像された画像Ｄ４（以下「撮像画像」とも称す）を、反射型大型表示装置２Ａ内に取り込む。
【００２４】
次にステップＳＰ１０３において、画像入力・処理部７は、撮像装置３から取り込んだ画像Ｄ４に対して所定の前処理を行う。図５は、画像入力・処理部７における前処理の流れを示すフローチャートである。図５を参照して、まずステップＳＰ１０３Ａにおいて、画像Ｄ４の全体の中からパネル目地２１の外枠よりも内側の部分のみを切り出した画像（以下「第１有効画像」と称す）を作成する。次にステップＳＰ１０３Ｂにおいて、第１有効画像の全体の中からパネル目地２１に対応する部分の画像を削除した画像（以下「第２有効画像」と称す）を作成する。最後にステップＳＰ１０３Ｃにおいて、画像データの間引き処理等によって、第２有効画像の画像データのサイズを、元画像に関する画像データＤ１のサイズに合わせる。これにより、前処理後の画像の各画素は、元画像の各画素に一対一に対応することとなる。前処理によって得られた画像データＤ５は、パラメータ補正部８Ａの演算部５０に入力される。
【００２５】
ステップＳＰ１０３に引き続き、ステップＳＰ１０４において、演算部５０は、元画像に関する画像データＤ１（以降、画像データ蓄積部５から画像表示部６に入力される画像データＤ１と区別するために、「画像データＤ６」と称す）を、画像データ蓄積部５から入力する。なお、画像データ蓄積部５から演算部５０への画像データＤ６の入力処理は、ステップＳＰ１０３以前の任意のタイミングで行ってもよい。
【００２６】
次にステップＳＰ１０５において、演算部５０は、画像データＤ５，Ｄ６に基づき、元画像の階調レベルの平均値と、前処理後の画像の階調レベルの平均値との差分を、Ｒ，Ｇ，Ｂの各色毎に算出する。算出の結果として得られた差分値に関するデータＤ８は、補正量決定部５１に入力される。
【００２７】
次にステップＳＰ１０６において、補正量決定部５１は、演算部５０から入力されたデータＤ８と、パラメータ保持部９Ａから入力された補正前の駆動パラメータＤ２とに基づいて、外光条件の影響に起因する元画像と撮像画像との差を補償するための駆動パラメータＤ２の補正量を、Ｒ，Ｇ，Ｂの各色毎に決定する。補正量に関するデータＤ７は、パラメータ保持部９Ａに入力される。なお、画像データＤ５の値と画像データＤ６の値とが、同一又は駆動パラメータＤ２の補正によっては補償できない程度に近似している場合（つまり、データＤ５とデータＤ６との差が階調レベルの１レベル分に満たない場合）には、駆動パラメータＤ２の補正を行う必要がないため、補正量はゼロとされる。
【００２８】
最後にステップＳＰ１０７において、パラメータ保持部９Ａは、パラメータ補正部８Ａから入力されたデータＤ７に基づいて、Ｒ，Ｇ，Ｂの各色毎に駆動パラメータＤ２を補正し、補正後の駆動パラメータＤ２を保持する。以降の表示動作において、画像表示部６は、画像データ蓄積部５から入力された画像データと、パラメータ保持部９Ａから入力された補正後の駆動パラメータＤ２とに基づいて、画像データＤ３を生成する。
【００２９】
このように本実施の形態１に係る大型表示装置システム１Ａによれば、パラメータ補正部８Ａは、元画像と撮像画像との階調レベルの差に応じて、駆動パラメータＤ２を自動的に補正する。従って、反射型大型表示装置２Ａが設置された場所の外光条件に合致した適切な表示色で、表示画面４に画像を表示することが可能となる。
【００３０】
実施の形態２．
図６は、本発明の実施の形態２に係る大型表示装置システム１Ｂの構成を示すブロック図である。大型表示装置システム１Ｂは、反射型大型表示装置２Ｂと、上記実施の形態１と同様の撮像装置３とを備えている。
【００３１】
本実施の形態２に係る反射型大型表示装置２Ｂは、図１に示した上記実施の形態１に係る反射型大型表示装置２Ａが有するパラメータ補正部８Ａの代わりに、パラメータ補正部８Ｂを有している。反射型大型表示装置２Ｂのその他の構成は、反射型大型表示装置２Ａの構成と同様である。
【００３２】
図７は、図６に示したパラメータ補正部８Ｂの構成を示すブロック図である。パラメータ補正部８Ｂは、演算部５２と、演算部５２の出力に接続された格納部５３と、格納部５３の出力に接続された演算部５４と、演算部５４の出力に接続された比較部５５と、演算部５２及び比較部５５の各出力に接続された補正量決定部５６とを備えている。演算部５２は、図６に示した画像データ蓄積部５及び画像入力・処理部７の各出力に接続されている。補正量決定部５６は、図６に示したパラメータ保持部９Ａに入出力相互に接続されている。
【００３３】
図８は、本実施の形態２に係る大型表示装置システム１Ｂにおける、外光条件に応じた駆動パラメータＤ２の補正処理の流れを示すフローチャートである。以下、図６〜８を参照して、駆動パラメータＤ２の補正処理について説明する。
【００３４】
画像表示部６は、画像データ蓄積部５から入力された画像データＤ１ａと、パラメータ保持部９Ａから入力された補正前の駆動パラメータＤ２とに基づいて、階調レベルが駆動条件に変換された画像データＤ３ａを生成し、生成した画像データＤ３ａに基づいて、表示画面４に画像を表示する。画像データ蓄積部５は、画像表示部６に画像データＤ１ａを送出した後も、引き続き画像データＤ１ａを保持する。
【００３５】
ステップＳＰ２０１において、撮像装置３は、表示画面４に表示されている画像を撮像する。
【００３６】
次にステップＳＰ２０２において、画像入力・処理部７は、撮像装置３によって撮像された画像Ｄ４ａ（以下「第１の撮像画像」とも称す）を、反射型大型表示装置２Ｂ内に取り込む。
【００３７】
次にステップＳＰ２０３において、画像入力・処理部７は、撮像装置３から取り込んだ画像Ｄ４ａに対して、上記実施の形態１と同様の所定の前処理を行う。前処理によって得られた画像データＤ５ａは、パラメータ補正部８Ｂの演算部５２に入力される。
【００３８】
次にステップＳＰ２０４において、演算部５２は、画像データＤ５ａの元になった画像（以下「第１の元画像」とも称す）に関する画像データＤ１ａ（以降、画像データ蓄積部５から画像表示部６に入力される画像データＤ１ａと区別するために、「画像データＤ６ａ」と称す）を、画像データ蓄積部５から入力する。
【００３９】
次にステップＳＰ２０５において、演算部５２は、画像データＤ５ａ，Ｄ６ａに基づき、第１の元画像の階調レベルの平均値と、前処理後の画像の階調レベルの平均値との差分を、Ｒ，Ｇ，Ｂの各色毎に算出する。算出の結果として得られた差分値に関するデータＤ８ａは、補正量決定部５１及び格納部５３に入力される。格納部５３は、演算部５２から入力されたデータＤ８ａを保持する。
【００４０】
次にステップＳＰ２０６において、ステップＳＰ２０１〜ＳＰＳＰ２０５の動作が複数回（本実施の形態２では簡単化のため２回とする）行われたか否かが判定される。この段階ではまだ１回しか実行されていないため、ステップＳＰ２０６における判定の結果は「ＮＯ」となる。
【００４１】
次にステップＳＰ２０１において、画像表示部６は、画像データ蓄積部５から入力された画像データＤ１ｂと、パラメータ保持部９Ａから入力された補正前の駆動パラメータＤ２とに基づいて、画像データＤ３ｂを生成し、生成した画像データＤ３ｂに基づいて表示画面４に画像を表示する。画像データ蓄積部５は、画像表示部６に画像データＤ１ｂを送出した後も、引き続き画像データＤ１ｂを保持する。撮像装置３は、表示画面４に表示されている画像を撮像する。
【００４２】
次にステップＳＰ２０２において、画像入力・処理部７は、撮像装置３によって撮像された画像Ｄ４ｂ（以下「第２の撮像画像」とも称す）を、反射型大型表示装置２Ｂ内に取り込む。
【００４３】
次にステップＳＰ２０３において、画像入力・処理部７は、撮像装置３から取り込んだ画像Ｄ４ｂに対して、上記実施の形態１と同様の所定の前処理を行う。前処理によって得られた画像データＤ５ｂは、パラメータ補正部８Ｂの演算部５２に入力される。
【００４４】
次にステップＳＰ２０４において、演算部５２は、画像データＤ５ｂの元になった画像（以下「第２の元画像」とも称す）に関する画像データＤ１ｂ（以降、画像データ蓄積部５から画像表示部６に入力される画像データＤ１ｂと区別するために、「画像データＤ６ｂ」と称す）を、画像データ蓄積部５から入力する。
【００４５】
次にステップＳＰ２０５において、演算部５２は、画像データＤ５ｂ，Ｄ６ｂに基づき、第２の元画像の階調レベルの平均値と、前処理後の画像の階調レベルの平均値との差分を、Ｒ，Ｇ，Ｂの各色毎に算出する。算出の結果として得られた差分値に関するデータＤ８ｂは、格納部５３に入力される。格納部５３は、演算部５２から入力されたデータＤ８ｂを保持する。
【００４６】
次にステップＳＰ２０６において、ステップＳＰ２０１〜ＳＰＳＰ２０５の動作が複数回行われたか否かが判定される。この段階では２回実行されているため、ステップＳＰ２０６における判定の結果は「ＹＥＳ」となる。
【００４７】
次にステップＳＰ２０７において、演算部５４は、格納部５３からデータＤ８ａ，Ｄ８ｂを読み込み、データＤ８ａとデータＤ８ｂとの差分を算出する。算出の結果として得られた差分値に関するデータＤ９は、比較部５５に入力される。
【００４８】
次にステップＳＰ２０８において、比較部５５は、データＤ９として与えられている差分値と、予め設定されている所定の基準値とを比較する。所定の基準値は、例えば、駆動パラメータＤ２の補正によって表示色を調整可能である最小単位の２倍の値（階調レベルの２レベル分に相当する）に設定される。データＤ９の値が所定の基準値よりも大きい場合（つまり、ステップＳＰ２０８における判定の結果が「ＮＯ」である場合）は、駆動パラメータＤ２の補正を行うことなく処理を終了する。
【００４９】
一方、データＤ９の値が所定の基準値以下である場合（つまり、ステップＳＰ２０８における判定の結果が「ＹＥＳ」である場合）は、駆動パラメータＤ２の補正を許可する旨を示す許可信号Ｄ１０が、比較部５５から補正量決定部５６に入力される。
【００５０】
次にステップＳＰ２０９において、許可信号Ｄ１０を受けた補正量決定部５６は、演算部５２から入力されたデータＤ８ａと、パラメータ保持部９Ａから入力された補正前の駆動パラメータＤ２とに基づいて、外光条件の影響に起因する第１の元画像と第１の撮像画像との差を補償するための駆動パラメータＤ２の補正量を、Ｒ，Ｇ，Ｂの各色毎に決定する。補正量に関するデータＤ７は、パラメータ保持部９Ａに入力される。なお、画像データＤ５ａの値と画像データＤ６ａの値とが、同一又は駆動パラメータＤ２の補正によっては補償できない程度に近似している場合には、駆動パラメータＤ２の補正を行う必要がないため、補正量はゼロとされる。
【００５１】
最後にステップＳＰ２１０において、パラメータ保持部９Ａは、パラメータ補正部８Ｂから入力されたデータＤ７に基づいて、Ｒ，Ｇ，Ｂの各色毎に駆動パラメータＤ２を補正し、補正後の駆動パラメータＤ２を保持する。以降の表示動作において、画像表示部６は、画像データ蓄積部５から入力された画像データと、パラメータ保持部９Ａから入力された補正後の駆動パラメータＤ２とに基づいて、画像データＤ３を生成する。
【００５２】
上記実施の形態１に係る大型表示装置システム１Ａでは、撮像装置３による表示画面４の撮像にトラブルがあった場合、例えば、撮像装置３によって表示画面４を撮像する瞬間に撮像装置３のレンズの前を鳥が横切ったような場合は、撮像装置３から不適切な撮像画像が出力される結果、駆動パラメータＤ２が不適切な値に補正されてしまう可能性がある。これに対して本実施の形態２に係る大型表示装置システム１Ｂによると、撮像装置３による表示画面４の撮像は異なるタイミングで２回行われ、パラメータ補正部８Ｂは、１回目の撮像に対応する第１の撮像画像と第１の元画像との階調レベルの差（以下「第１の差分値」と称す）と、２回目の撮像に対応する第２の撮像画像と第２の元画像との階調レベルの差（以下「第２の差分値」と称す）とが、所定の基準値以下の場合に、駆動パラメータＤ２の補正を行う。従って、１回目の撮像にトラブルがあった場合には、第１の差分値と第２の差分値との差が大きくなり、その差が所定の基準値を超えるために、駆動パラメータＤ２は補正されない。よって、駆動パラメータＤ２が不適切な値に補正されてしまう事態を回避することができる。
【００５３】
実施の形態３．
図９は、本発明の実施の形態３に係る大型表示装置システム１Ｃの構成を示すブロック図である。大型表示装置システム１Ｃは、反射型大型表示装置２Ｃと、上記実施の形態１と同様の撮像装置３とを備えている。
【００５４】
本実施の形態３に係る反射型大型表示装置２Ｃは、図１に示した上記実施の形態１に係る反射型大型表示装置２Ａが有するパラメータ補正部８Ａ及びパラメータ保持部９Ａの代わりに、パラメータ補正部８Ｃ及びパラメータ保持部９Ｃを有している。反射型大型表示装置２Ｃのその他の構成は、反射型大型表示装置２Ａの構成と同様である。
【００５５】
図１０は、図３に示した１つの表示デバイス２０の表示面を拡大して示す平面図である。表示デバイス２０の表示面は、複数の画素２２がマトリクス状に配置されて構成されている。
【００５６】
上記実施の形態１に係る反射型大型表示装置２Ａでは、Ｒ，Ｇ，Ｂの各色毎に表示画面４の全面に関して共通の駆動パラメータＤ２を設定していたが、本実施の形態３に係る反射型大型表示装置２Ｃは、表示画面４を複数の領域に分割し、各領域毎に個別に駆動パラメータ２Ｄを設定する。例えば、図３に示した表示デバイス２０毎に、又は、図１０に示したライン２３毎に、個別に駆動パラメータＤ２を設定する。以下では、図３に示した表示デバイス２０1，２０2，・・・，２０n毎に個別に駆動パラメータＤ２1，Ｄ２2，・・・，Ｄ２nを設定する場合を例にとり説明する。
【００５７】
図１１は、図９に示したパラメータ補正部８Ｃの構成を示すブロック図である。パラメータ補正部８Ｃは、データ分割部５７，５９と、データ分割部５７，５９の各出力に接続された演算部５８と、演算部５８の出力に接続された補正量決定部６０とを備えている。データ分割部５７は、図９に示した画像データ蓄積部５の出力に接続されており、データ分割部５９は、図９に示した画像入力・処理部７の出力に接続されている。補正量決定部６０は、図９に示したパラメータ保持部９Ｃに入出力相互に接続されている。
【００５８】
以下、図４，９，１１を参照して、駆動パラメータＤ２1，Ｄ２2，・・・，Ｄ２nの補正処理について説明する。まずステップＳＰ１０１において、画像表示部６は、画像データＤ１と補正前の駆動パラメータＤ２1，Ｄ２2，・・・，Ｄ２nとに基づいて画像データＤ３を生成し、生成した画像データＤ３に基づいて表示画面４に画像を表示する。画像データ蓄積部５は、画像表示部６に画像データＤ１を送出した後も、引き続き画像データＤ１を保持する。撮像装置３は、表示画面４に表示されている画像を撮像する。
【００５９】
次にステップＳＰ１０２において、画像入力・処理部７は、撮像装置３によって撮像された画像Ｄ４を、反射型大型表示装置２Ａ内に取り込む。
【００６０】
次にステップＳＰ１０３において、画像入力・処理部７は、撮像装置３から取り込んだ画像Ｄ４に対して、上記実施の形態１と同様の所定の前処理を行う。前処理によって得られた画像データＤ５は、データ分割部５９に入力される。
【００６１】
次にステップＳＰ１０４において、データ分割部５７は、元画像に関する画像データＤ６を、画像データ蓄積部５から入力する。
【００６２】
次にステップＳＰ１０５において、データ分割部５７は、表示デバイス２０1，２０2，・・・，２０nに対応させて、画像データＤ６を画像データＤ６1，Ｄ６2，・・・，Ｄ６nに分割する。また、データ分割部５９は、表示デバイス２０1，２０2，・・・，２０nに対応させて、画像データＤ５を画像データＤ５1，Ｄ５2，・・・，Ｄ５nに分割する。演算部５８は、画像データＤ５1，Ｄ５2，・・・，Ｄ５n及び画像データＤ６1，Ｄ６2，・・・，Ｄ６nに基づき、表示デバイス２０1，２０2，・・・，２０n毎の元画像の階調レベルの平均値と、表示デバイス２０1，２０2，・・・，２０n毎の前処理後の画像の階調レベルの平均値との差分を、Ｒ，Ｇ，Ｂの各色毎に算出する。算出の結果として得られた差分値に関するデータＤ８1，Ｄ８2，・・・，Ｄ８nは、補正量決定部６０に入力される。
【００６３】
次にステップＳＰ１０６において、補正量決定部６０は、演算部５８から入力されたデータＤ８1，Ｄ８2，・・・，Ｄ８nと、パラメータ保持部９Ｃから入力された補正前の駆動パラメータＤ２1，Ｄ２2，・・・，Ｄ２nとに基づいて、外光条件の影響に起因する元画像と撮像画像との差を表示デバイス２０1，２０2，・・・，２０n毎に補償するための駆動パラメータＤ２1，Ｄ２2，・・・，Ｄ２nの補正量を、Ｒ，Ｇ，Ｂの各色毎に決定する。表示デバイス２０1，２０2，・・・，２０n毎の補正量に関するデータＤ７1，Ｄ７2，・・・，Ｄ７nは、パラメータ保持部９Ｃに入力される。なお、画像データＤ５1，Ｄ５2，・・・，Ｄ５nの値と画像データＤ６1，Ｄ６2，・・・，Ｄ６nの値とが、同一又は駆動パラメータＤ２1，Ｄ２2，・・・，Ｄ２nの補正によっては補償できない程度に近似している場合には、駆動パラメータＤ２1，Ｄ２2，・・・，Ｄ２nの補正を行う必要がないため、補正量はゼロとされる。
【００６４】
最後にステップＳＰ１０７において、パラメータ保持部９Ｃは、パラメータ補正部８Ｃから入力されたデータＤ７1，Ｄ７2，・・・，Ｄ７nに基づいて、表示デバイス２０1，２０2，・・・，２０n毎に駆動パラメータＤ２1，Ｄ２2，・・・，Ｄ２nを補正し、補正後の駆動パラメータＤ２1，Ｄ２2，・・・，Ｄ２nを保持する。以降の表示動作において、画像表示部６は、画像データ蓄積部５から入力された画像データと、パラメータ保持部９Ｃから入力された補正後の駆動パラメータＤ２1，Ｄ２2，・・・，Ｄ２nとに基づいて、画像データＤ３を生成する。
【００６５】
このように本実施の形態３に係る大型表示装置システム１Ｃによると、表示画面４が複数の領域に分割され、各領域毎に個別に駆動パラメータＤ２1，Ｄ２2，・・・，Ｄ２nが設定及び補正される。そのため、表示画面４を照らす照明の照射範囲の偏りや、表示画面４上に部分的に生じた影等に起因して、表示画面４内の各領域毎に外光条件が異なる場合であっても、それぞれの領域の外光条件に合致した適切な表示色で、表示画面４に画像を表示することが可能となる。
【００６６】
なお、以上の説明では、本実施の形態３に係る発明を上記実施の形態１に係る発明に適用する例について述べたが、本実施の形態３に係る発明は上記実施の形態２に係る発明に適用することも可能である。
【００６７】
実施の形態４．
図１２は、本発明の実施の形態４に係る大型表示装置システム１Ｄの構成を示すブロック図である。大型表示装置システム１Ｄは、反射型大型表示装置２Ｄと、上記実施の形態１と同様の撮像装置３と、監視装置１０とを備えている。
【００６８】
本実施の形態４に係る反射型大型表示装置２Ｄは、図１に示した上記実施の形態１に係る反射型大型表示装置２Ａが有する各構成要素に加えて、比較部１１及び記憶部１２をさらに有している。記憶部１２は、パラメータ補正部８Ａの出力に接続されている。反射型大型表示装置２Ｄ又は撮像装置３の不具合の発生の有無を判定するために使用されるデータパターンＤ２０が予め設定されて、記憶部１２内に格納されている。比較部１１は、画像入力・処理部７の出力に接続されており、また、記憶部１２に入出力相互に接続されている。
【００６９】
監視装置１０は、大型表示装置システム１Ｄを管理し、反射型大型表示装置２Ｄ及び撮像装置３の不具合を監視するコンピュータであり、有線又は無線によって比較部１１に接続されている。
【００７０】
図１３は、本実施の形態４に係る大型表示装置システム１Ｄにおける、外光条件に応じた駆動パラメータＤ２の補正処理の流れを示すフローチャートである。以下、図２，１２，１３を参照して、駆動パラメータＤ２の補正処理について説明する。
【００７１】
まずステップＳＰ４０１において、画像表示部６は、画像データＤ１と補正前の駆動パラメータＤ２とに基づいて画像データＤ３を生成し、生成した画像データＤ３に基づいて表示画面４に画像を表示する。画像データ蓄積部５は、画像表示部６に画像データＤ１を送出した後も、引き続き画像データＤ１を保持する。撮像装置３は、表示画面４に表示されている画像を撮像する。
【００７２】
次にステップＳＰ４０２において、画像入力・処理部７は、撮像装置３によって撮像された画像Ｄ４を、反射型大型表示装置２Ｄ内に取り込む。
【００７３】
次にステップＳＰ４０３において、画像入力・処理部７は、撮像装置３から取り込んだ画像Ｄ４に対して、上記実施の形態１と同様の所定の前処理を行う。前処理によって得られた画像データＤ５は、パラメータ補正部８Ａの演算部５０と、比較部１１とに入力される。
【００７４】
次にステップＳＰ４０４において、演算部５０は、元画像に関する画像データＤ６を、画像データ蓄積部５から入力する。
【００７５】
次にステップＳＰ４０５において、演算部５０は、画像データＤ５，Ｄ６に基づき、元画像の階調レベルの平均値と、前処理後の画像の階調レベルの平均値との差分を、Ｒ，Ｇ，Ｂの各色毎に算出する。算出の結果として得られた差分値に関するデータＤ８は、パラメータ補正部８Ａの補正量決定部５１に入力される。
【００７６】
次にステップＳＰ４０６において、比較部１１は、記憶部１２からデータパターンＤ２０を読み出し、画像入力・処理部７から入力された画像データＤ５と、データパターンＤ２０とを比較することにより、画像データＤ５（又はその一部）がデータパターンＤ２０に一致するか否かを判定する。例えば、単色でない元画像に対して単色のデータパターンＤ２０が設定されている場合、画像データＤ５が単色であれば画像データＤ５とデータパターンＤ２０とは一致し、画像データＤ５が単色でなければ画像データＤ５とデータパターンＤ２０とは一致しない。
【００７７】
画像データＤ５とデータパターンＤ２０とが一致した場合（つまり、ステップＳＰ４０７における判定の結果が「ＹＥＳ」である場合）は、ステップＳＰ４１１において、比較部１１は、不具合の発生を知らせる信号Ｄ２１を監視装置１０に送る。この場合、パラメータ補正部８Ａによる駆動パラメータＤ２の補正は行われない。
【００７８】
一方、画像データＤ５とデータパターンＤ２０とが一致しない場合（つまり、ステップＳＰ４０７における判定の結果が「ＮＯ」である場合）は、ステップＳＰ４０８において、補正量決定部５１は、演算部５０から入力されたデータＤ８と、パラメータ保持部９Ａから入力された補正前の駆動パラメータＤ２とに基づいて、外光条件の影響に起因する元画像と撮像画像との差を補償するための駆動パラメータＤ２の補正量を、Ｒ，Ｇ，Ｂの各色毎に決定する。補正量に関するデータＤ７は、パラメータ保持部９Ａに入力される。なお、画像データＤ５の値と画像データＤ６の値とが、同一又は駆動パラメータＤ２の補正によっては補償できない程度に近似している場合（つまり、データＤ５とデータＤ６との差が階調レベルの１レベル分に満たない場合）には、駆動パラメータＤ２の補正を行う必要がないため、補正量はゼロとされる。
【００７９】
次にステップＳＰ４０９において、パラメータ保持部９Ａは、パラメータ補正部８Ａから入力されたデータＤ７に基づいて、Ｒ，Ｇ，Ｂの各色毎に駆動パラメータＤ２を補正し、補正後の駆動パラメータＤ２を保持する。以降の表示動作において、画像表示部６は、画像データ蓄積部５から入力された画像データと、パラメータ保持部９Ａから入力された補正後の駆動パラメータＤ２とに基づいて、画像データＤ３を生成する。
【００８０】
ステップＳＰ４１１又はステップＳＰ４０９に引き続き、最後にステップＳＰ４１０において、比較部１１における比較結果に関するデータＤ２３が比較部１１から記憶部１２に入力され、又は、パラメータ補正部８Ａにおける処理結果に関するデータＤ２２がパラメータ補正部８Ａから記憶部１２に入力され、記憶部１２はデータＤ２３，Ｄ２２を記憶する。
【００８１】
このように本実施の形態４に係る大型表示装置システム１Ｄによれば、比較部１１は、画像データＤ５とデータパターンＤ２０とが一致した場合、監視装置１０に不具合の発生を通達する。従って、反射型大型表示装置２Ｄ又は撮像装置３に故障が発生したり、表示画面４の表示面又は撮像装置３のレンズが汚れる等して、表示の品質が劣化している場合に、速やかに対処することができる。
【００８２】
また、本実施の形態４に係る大型表示装置システム１Ｄによれば、比較部１１における比較結果に関するデータＤ２３、又はパラメータ補正部８Ａにおける処理結果に関するデータＤ２２が、記憶部１２内に蓄積される。そのため、記憶部１２の記憶内容を参照することにより、大型表示装置システム１Ｄが正常に動作しているか否かの動作履歴の調査や、設置場所の外光条件がどのように変化しているかの環境変化の履歴の調査や、不具合が発生した場合の原因調査に活用することができる。
【００８３】
なお、以上の説明では、本実施の形態４に係る発明を上記実施の形態１に係る発明に適用する例について述べたが、本実施の形態４に係る発明は上記実施の形態２，３に係る発明に適用することも可能である。
【図面の簡単な説明】
【００８４】
【図１】本発明の実施の形態１に係る大型表示装置システムの構成を示すブロック図である。
【図２】本発明の実施の形態１に係る大型表示装置システムに関し、図１に示したパラメータ補正部の構成を示すブロック図である。
【図３】本発明の実施の形態１に係る大型表示装置システムに関し、図１に示した表示画面の構成例を示す平面図である。
【図４】本発明の実施の形態１に係る大型表示装置システムにおける、駆動パラメータの補正処理の流れを示すフローチャートである。
【図５】本発明の実施の形態１に係る大型表示装置システムに関し、画像入力・処理部における前処理の流れを示すフローチャートである。
【図６】本発明の実施の形態２に係る大型表示装置システムの構成を示すブロック図である。
【図７】本発明の実施の形態２に係る大型表示装置システムに関し、図６に示したパラメータ補正部の構成を示すブロック図である。
【図８】本発明の実施の形態２に係る大型表示装置システムにおける、駆動パラメータの補正処理の流れを示すフローチャートである。
【図９】本発明の実施の形態３に係る大型表示装置システムの構成を示すブロック図である。
【図１０】本発明の実施の形態３に係る大型表示装置システムに関し、図３に示した１つの表示デバイスの表示面を拡大して示す平面図である。
【図１１】本発明の実施の形態３に係る大型表示装置システムに関し、図９に示したパラメータ補正部の構成を示すブロック図である。
【図１２】本発明の実施の形態４に係る大型表示装置システムの構成を示すブロック図である。
【図１３】本実施の形態４に係る大型表示装置システムにおける、駆動パラメータの補正処理の流れを示すフローチャートである。
【符号の説明】
【００８５】
１Ａ〜１Ｄ  大型表示装置システム、２Ａ〜２Ｄ  反射型大型表示装置、３  撮像装置、４  表示画面、５  画像データ蓄積部、６  画像表示部、７  画像入力・処理部、８Ａ〜８Ｃ  パラメータ補正部、９Ａ，９Ｃ  パラメータ保持部、１０  監視装置、２０  表示デバイス、２１  パネル目地。
【図１】
2006146098.tif 000003
【図２】
2006146098.tif 000004
【図３】
2006146098.tif 000005
【図４】
2006146098.tif 000006
【図５】
2006146098.tif 000007
【図６】
2006146098.tif 000008
【図７】
2006146098.tif 000009
【図８】
2006146098.tif 000010
【図９】
2006146098.tif 000011
【図１０】
2006146098.tif 000012
【図１１】
2006146098.tif 000013
【図１２】
2006146098.tif 000014
【図１３】
2006146098.tif 000015